【手続補正書】
【提出日】平成19年2月13日(2007.2.13)
【手続補正１】
【補正対象書類名】明細書
【補正対象項目名】特許請求の範囲
【補正方法】変更
【補正の内容】
【特許請求の範囲】
【請求項１】  剛毛支持と、定められた断面を有する少なくとも１つの群（３１）に組合わされかつ前記剛毛支持に取付けられる少なくとも２つの異なるタイプの剛毛とからなるブラシを製造する方法であって、１つの剛毛タイプの剛毛を組合わせることによって部分群（２７、２８）を形成し、前記部分群を組合わせることによって集束案内（１５）を介して剛毛群を形成し、前記剛毛群はその後剛毛支持（３１）に取付けられ、各部分群（２７、２８）の剛毛は整形装置（３）の周囲の案内（１５、１６）において整形されることによって剛毛群（３１）におけるそれらの部分断面に対応する断面を得、前記部分群（２７、２８）は次いで案内におけるその部分断面を維持しながら組合わされて剛毛群（３１）の断面を形成することを特徴とする、方法。
【請求項２】  剛毛群（３１）を形成するために組合わされる部分群（２７、２８）の各々は異なる数の剛毛を有することを特徴とする、請求項１に記載の方法。
【請求項３】  部分群（２７、２８）を組合わせた後、剛毛群（３１）は剛毛支持への取付のために剛毛群（３１）を運ぶための保持手段（４）に移されることを特徴とする、請求項１または２に記載の方法。
【請求項４】  各部分群（２７、２８）の剛毛は整形装置（３）における整形の際に圧縮されることを特徴とする、請求項１または２に記載の方法。
【請求項５】  ブラシ剛毛ストックのすべての剛毛群は整形装置（３）において同時に形成されることを特徴とする、請求項１から４のいずれかに記載の方法。
【請求項６】  ブラシ剛毛ストックのすべての剛毛群は、すべての剛毛群を収容する保持手段（４）に移されることを特徴とする、請求項１から５のいずれかに記載の方法。
【請求項７】  ブラシ剛毛ストックのすべての剛毛群は整形装置（３）において連続的に形成され、すべての剛毛群を収容する保持手段(４）に移されることを特徴とする、請求項１から４のいずれかに記載の方法。
【請求項８】  部分群（２７、２８）は組合わされて異なる長さの剛毛群（３１）を形成し、次いで保持手段（４）に移され、整形装置（３）と保持手段（４）との間の場所で平らに切断されることを特徴とする、請求項１から７のいずれかに記載の方法。
【請求項９】  剛毛群は保持手段（４）にクランプされることを特徴とする、請求項１から８のいずれかに記載の方法。
【請求項１０】  保持手段（４）にクランプされる剛毛群の剛毛の有用な端部は、た
とえば丸くされるなど、機械的に処理されることを特徴とする、請求項１から９のいずれかに記載の方法。
【請求項１１】  保持手段（４）中の剛毛はクランプされない状態において互いに関して軸方向に変位されることにより、有用な端部（２９、３０）を異なる包絡面に入れることを特徴とする、請求項１から１０のいずれかに記載の方法。
【請求項１２】  １つまたはいくつかの部分群（２７、２８）の剛毛は互いに関して軸方向に変位されることにより、前記剛毛の有用な端部（２９、３０）を異なる包絡面に入れることを特徴とする、請求項１１に記載の方法。
【請求項１３】  剛毛の有用な端部の反対側にある固定される剛毛の端部（３２）は、剛毛支持への取付のために保持手段（４）において準備されることを特徴とする、請求項１から１２のいずれかに記載の方法。
【請求項１４】  部分群（２７、２８）は剛毛群（３１）を形成するために組合わされるときに接近した分離で維持されることを特徴とする、請求項１から１３のいずれかに記載の方法。
【請求項１５】  部分群（２７、２８）はしっかりと束ねられて剛毛群（３１）を形成するために組合わされることを特徴とする、請求項１から１３のいずれかに記載の方法。
【請求項１６】  各部分群（２７、２８）の剛毛はエンドレスモノフィラメントから、別々のスプールにエンドレスモノフィラメントのコード（１１、１２）の形で同じタイプの剛毛を収容するステップと、スプールから同じタイプの剛毛のコードを除去するステップと、それらを案内に挿入することによって１つの部分群の各々を形成するステップとによって作られ、剛毛群を形成するすべての部分群（２７、２８）の剛毛は案内に同時に供給されることを特徴とする、請求項１から１５のいずれかに記載の方法。
【請求項１７】  部分群（２７、２８）は、適切な長さのショートカット剛毛から作られることを特徴とする、請求項１から１５のいずれかに記載の方法。
【請求項１８】  請求項１から１６のいずれかに記載の方法を実行するための装置であって、異なるタイプの剛毛から少なくとも２つの部分群（２７または２８）からなる剛毛群（２７、２８）を形成することを特徴とし、同じ剛毛タイプのモノフィラメントのコード（１１、１２）を有する少なくとも１つのスプールが各部分群（２７または２８）に与えられ、スプールは各コードに対する１つの案内溝（１０）を有する少なくとも１つの下流の延伸装置（１）に関連づけられ、延伸装置（１）は対応する数の整形溝（１５、１６）を有する下流の固定の整形装置（３）を有し、前記整形溝（１５、１６）の延伸装置（１）に面する開口部は案内溝（１０）と整列し、かつその断面は、剛毛群の断面に対応する包絡断面に向けて集束する際に、対向する開口部に向けて部分群（２７または２８）の部分断面に変化し、コード（１１、１２）はスプールから除去されて線形に移動可能な延伸手段（１）を介して整形装置（３）を通され得る、装置。
【請求項１９】  整形装置（３）は少なくとも１つの剛毛群に対する下流の移動可能な保持手段（４）を有し、前記保持手段（４）はその形および配置が整形装置（３）の面する整形溝（１５、１６）に対応する保持溝（２５、２６）を含み、整形装置（３）において形成され剛毛群に組合わされた部分群は保持手段（４）に移されることができ、整形装置（３）および保持手段（４）の間に配される切断装置（８）によって保持手段中の剛毛群（２７、２８）を所望の長さに切断し、剛毛群を有する保持手段（４）は剛毛群を剛毛支持に取付けるために運ばれ得ることを特徴とする、請求項１８に記載の装置。
【請求項２０】  整形装置の整形溝（１５、１６）は、断面の変化の方向に減少する断面を含むことを特徴とする、請求項１８または１９に記載の装置。
【請求項２１】  少なくとも２つの分離して移動可能な延伸手段（１、２）が互いに前後して配され、部分群（２７、２８）を形成するコード（１１、１２）に個別または集合的に作用して部分群を保持手段（４）に同じかまたは異なる程度挿入することを特徴とする、請求項１８から２０のいずれかに記載の装置。
【請求項２２】  延伸手段（１、２）および保持手段（４）は平行に層をなす板（１
０、１３、１７または２２、２３、２４）からなり、そのうち１つはクランプ板（１３、１７、２４）として、案内または保持溝（１０、２５、２６）に対して横方向に移動可能であることを特徴とする、請求項１８から２１のいずれかに記載の装置。
【請求項２３】  クランプされた剛毛群（２７、２８）を有する保持手段（４）は、処理および／または有用な端部の処理および／または固定される剛毛の端部の処理のための装置を通って移動可能であることを特徴とする、請求項１８から２２のいずれかに記載の装置。
【請求項２４】  剛毛群または部分群の剛毛は、クランプ板が解放されるときに互いに関して軸方向に変位し得ることを特徴とする、請求項２３に記載の装置。